(57)【要約】【課題】簡素な構成で、かつ、商品を取り出すときの使用形態を容易に判断可能とした上で、商品の取り出しが容易に行えるようにする。【解決手段】利用者が商品受部１０に搬出された商品Ｗを取り出す場合、一方の手で取出口扉１７を機内側に押し込んで取出口扉１７を開放状態にしてそのまま商品受部１０の凹所１２ａにある商品Ｗを手で掴んで当該商品Ｗを取り出す。このとき、開放状態にした取出口扉１７の機外側面の凹形状１７ｃによって手を差し入れた商品受部１０の奥行きが広くなるので商品Ｗが容易に取り出せる。【選択図】        図６
2005258698.tif 000002
【特許請求の範囲】
【請求項１】
機内から搬出された商品を機外に取り出せる商品取出口と、前記商品取出口を開閉する取出口扉とを有した自動販売機において、
前記取出口扉は、前記商品取出口の機内側に回動して前記商品取出口を開放する態様で設けてあり、前記商品取出口を閉塞する機外側面が機内側に向けて凹形状をなしていることを特徴とする自動販売機。
【請求項２】
前記取出口扉は、前記商品取出口を閉塞する方向に押圧付勢してあることを特徴とする請求項１に記載の自動販売機。
【請求項３】
前記商品取出口の機内側に設けてあって搬出された商品を受容する商品受部を備え、
前記商品受部には、開放する前記取出口扉に対して前記商品を離隔する態様で凹所を設けたことを特徴とする請求項１または２に記載の自動販売機。
【請求項４】
前記商品取出口の機内側に設けてあって搬出された商品を受容する商品受部と、機内にて商品を収納する商品収納庫から前記商品受部に商品を搬出する態様で前記商品受部側にのみ開放可能に設けた商品搬出扉とを備え、
前記取出口扉は、その開放時に前記商品搬出扉に当接して当該商品搬出扉の開放を阻止することを特徴とする請求項１〜３のいずれか一つに記載の自動販売機。
【請求項５】
前記商品取出口の機内側に設けてあって搬出された商品を受容する商品受部と、機内にて商品を収納する商品収納庫から前記商品受部に商品を搬出する態様で前記商品受部側にのみ開放可能に設けた商品搬出扉と、前記商品受部に設けてあって前記商品搬出扉に当接可能に支持されたフラッパ部材とを備え、
前記取出口扉は、その開放時に前記フラッパ部材を前記商品搬出扉に向けて押圧して当該商品搬出扉の開放を阻止することを特徴とする請求項１〜３のいずれか一つに記載の自動販売機。
【請求項６】
前記取出口扉は、前記商品取出口を閉塞する機内側面が機内側に向けて凸形状をなしており、当該取出口扉を開放したときに前記凸形状によって前記フラッパ部材を押圧することを特徴とする請求項５に記載の自動販売機。
【発明の詳細な説明】
【技術分野】
【０００１】
本発明は、例えば缶入り飲料、瓶入り飲料あるいはペットボトル入り飲料などの各種商品を販売する自動販売機に関し、特に利用者が商品を取り出すための商品取出口の改良に関するものである。
【背景技術】
【０００２】
一般的な自動販売機では、商品を搬出する商品取出部を有している。商品取出部は、商品収納庫の内扉に設けた商品搬出扉を介して搬出された商品を取り出すためのものであり、搬出された商品を受ける商品受部と、自動販売機の外部から商品受部に通じる商品取出口と、商品取出口を開閉する取出口扉とを設けてある。取出口扉は、上端部が支承してあって下端部を外側に回動することで商品取出口を開放する外開き式としてある。また、上記商品取出部では、商品受部にフラッパ部材を設けてある。フラッパ部材は、例えば商品取出口から商品受部に差し入れた手に当接することで商品搬出扉の開放を防いで商品収納庫内の商品の抜き取りなどをできなくするためのものである。
【０００３】
上記一般的な自動販売機では、商品受部に搬出された商品を取り出す際に、一方の手で取出口扉を開けて支えながら、他方の手で商品を取り出す動作が必要である。また、一方の手で取出口扉を開けてそのまま商品を取り出そうとすると取出口扉が自重で閉まろうとするので商品が取り出しにくい。このように、上記自動販売機では、商品の取り出しを容易に行うことが難しいという問題がある。
【０００４】
そこで、従来では、商品の取り出し易さ向上することを目的として、商品取出口の上部を開閉する上部開閉部材と、商品取出口の下部を開閉する下部開閉部材とを備えて、上部開閉部材を商品取出口の内側に回動させると、連動して下部開閉部材を商品取出口の外側に開放させる自動販売機がある。すなわち、商品受部に搬出された商品を取り出す際には、一方の手で上部開閉部材を押し開けば、連動して下部開閉部材が外側に開いて間口が拡がるのでそのまま商品を取り出することができる（例えば、特許文献１参照）。
【０００５】
【特許文献１】特開平１０−１７２０３８号公報
【発明の開示】
【発明が解決しようとする課題】
【０００６】
しかしながら、従来の自動販売機では、上部開閉部材の回動に連動して下部開閉部材を開放するために連動機構を必要としているので構造が複雑でありコストが嵩むという問題がある。また、上部開閉部材および下部開閉部材が可動する構成のため、利用者が使用形態を判断することができないおそれがある。
【０００７】
本発明は、上記実情に鑑みて、簡素な構成で、かつ、商品を取り出すときの使用形態を容易に判断できることを可能とした上で、商品の取り出しを容易に行うことができる自動販売機を提供することを目的とする。
【課題を解決するための手段】
【０００８】
上記の目的を達成するために、本発明の請求項１に係る自動販売機は、機内から搬出された商品を機外に取り出せる商品取出口と、前記商品取出口を開閉する取出口扉とを有した自動販売機において、前記取出口扉は、前記商品取出口の機内側に回動して前記商品取出口を開放する態様で設けてあり、前記商品取出口を閉塞する機外側面が機内側に向けて凹形状をなしていることを特徴とする。
【０００９】
本発明の請求項２に係る自動販売機は、上記請求項１において、前記取出口扉は、前記商品取出口を閉塞する方向に押圧付勢してあることを特徴とする。
【００１０】
本発明の請求項３に係る自動販売機は、上記請求項１または２において、前記商品取出口の機内側に設けてあって搬出された商品を受容する商品受部を備え、前記商品受部には、開放する前記取出口扉に対して前記商品を離隔する態様で凹所を設けたことを特徴とする。
【００１１】
本発明の請求項４に係る自動販売機は、上記請求項１〜３のいずれか一つにおいて、前記商品取出口の機内側に設けてあって搬出された商品を受容する商品受部と、機内にて商品を収納する商品収納庫から前記商品受部に商品を搬出する態様で前記商品受部側にのみ開放可能に設けた商品搬出扉とを備え、前記取出口扉は、その開放時に前記商品搬出扉に当接して当該商品搬出扉の開放を阻止することを特徴とする。
【００１２】
本発明の請求項５に係る自動販売機は、上記請求項１〜３のいずれか一つにおいて、前記商品取出口の機内側に設けてあって搬出された商品を受容する商品受部と、機内にて商品を収納する商品収納庫から前記商品受部に商品を搬出する態様で前記商品受部側にのみ開放可能に設けた商品搬出扉と、前記商品受部に設けてあって前記商品搬出扉に当接可能に支持されたフラッパ部材とを備え、前記取出口扉は、その開放時に前記フラッパ部材を前記商品搬出扉に向けて押圧して当該商品搬出扉の開放を阻止することを特徴とする。
【００１３】
本発明の請求項６に係る自動販売機は、上記請求項５において、前記取出口扉は、前記商品取出口を閉塞する機内側面が機内側に向けて凸形状をなしており、当該取出口扉を開放したときに前記凸形状によって前記フラッパ部材を押圧することを特徴とする。
【発明の効果】
【００１４】
本発明に係る自動販売機は、利用者が商品取出口から商品受部に搬出された商品を取り出す場合、一方の手で取出口扉を機内側に押し込むことで取出口扉を開放状態にして、そのまま商品受部にある商品を手で掴んで当該商品を取り出す。このように商品受部から商品を取り出すとき、開放状態にした取出口扉の機外側面の凹形状によって手を差し入れた商品受部の奥行きが広くなるので商品を容易に取り出すことができる。この結果、簡素な構成で、かつ、商品を取り出すときの使用形態を利用者が容易に判断することを可能とした上で、商品の取り出しが容易に行える。
【００１５】
また、商品の取り出しに際して商品受部から手を引き出すことで、取出口扉が商品取出口を閉塞する位置に戻る。これにより、商品取出口から商品受部の内部への雨水や塵埃が浸入する事態を防ぐことができる。
【００１６】
また、商品受部に設けた凹所が開放する取出口扉に対して商品を離隔するので、商品受部に搬出された商品を取り出すときに、開放する取出口扉が商品にぶつかる事態を防いで、取出口扉の開放が円滑に行えるので、商品を容易に取り出すことができる。
【００１７】
また、取出口扉は、その開放時に商品搬出扉に当接することで商品搬出扉の開放を阻止する。これにより、商品取出口から商品受部の内部に手を差し入れて商品搬出扉の内部にある商品を引き出そうと悪戯をしても、差し入れた手によって開放状態となる取出口扉が商品搬出扉の開放を阻止しているので悪戯を防止することができる。
【００１８】
また、取出口扉は、その開放時にフラッパ部材を機内側に押圧する。そしてフラッパ部材が商品搬出扉に当接することにより当該商品搬出扉の開放を阻止する。これにより、商品取出口から商品受部の内部に手を差し入れて商品搬出扉の内部にある商品を引き出そうと悪戯をしても、差し入れた手によって開放状態となる取出口扉がフラッパ部材を介して商品搬出扉の開放を阻止しているので悪戯を防止することができる。
【００１９】
また、取出口扉は、機内側の凸形状によってフラッパ部材を押圧する。これにより、取出口扉の開放時に、より早く機内側にフラッパ部材を押圧して商品搬出扉に当接させることが可能になり、確実に悪戯を防止することができる。
【発明を実施するための最良の形態】
【００２０】
以下に添付図面を参照して、本発明に係る自動販売機の好適な実施例を詳細に説明する。なお、この実施例によりこの発明が限定されるものではない。
【実施例１】
【００２１】
図１は本発明に係る自動販売機を示す正面図、図２は図１に示した自動販売機の内部を開放した状態の斜視図、図３は図１に示した自動販売機の断面側面図である。
【００２２】
ここで例示する自動販売機は、缶入り飲料やペットボトル入り飲料などの商品を販売するためのもので、図１〜図３に示すように本体キャビネット１、外扉２および断熱扉３を備えている。
【００２３】
本体キャビネット１は、複数の鋼板を適宜組み合わせることによって構成したもので、前面が開口した直方状を成している。この本体キャビネット１の内部（機内）には、商品収納庫４が設けてある。商品収納庫４は、複数（本実施例では３つ）の独立した収納庫４ａ，４ｂ，４ｃが並設してある。
【００２４】
商品収納庫４は、飲料缶やペットボトルなどの商品Ｗを所望の温度に維持した状態で収容するためのもので、前面に開口を有している。商品収納庫４内のそれぞれの上方部には、コラム状のラック６が複数配設してある。各ラック６は、上部の商品投入口６ａから投入された商品Ｗを収納し、最下部の商品Ｗを１つずつ切り出す。各ラック６の下側には、ラック６から切り出した商品Ｗを商品収納庫４の前方に搬出するシュータ７が設けてある。
【００２５】
商品収納庫４内のシュータ７によって区画される下方部には、熱交換器が配設してある。例えば正面向かって左側に位置する収納庫４ａが冷却専用としてある場合には、図３に示すように熱交換器として冷却ユニットの蒸発器１１１、並びに庫内ファン１２０や庫内ファン用モータ１２１を備える。これに対して例えば中央に位置する収納庫４ｂ、および正面向かって右側に位置する収納庫４ｃが冷却／加温切り換え可能としてある場合には、図３に示すように熱交換器として冷却ユニットの蒸発器１１１、並びに庫内ファン１２０や庫内ファン用モータ１２１に加えて加熱ヒータ１２２を備える。
【００２６】
上記商品収納庫４（４ａ，４ｂ，４ｃ）の下方となる位置には、機械室５が設けてある。機械室５は、上述した収納庫４ａ，４ｂ，４ｃで共通に使用する機械部品を収容するためのものである。具体的には、圧縮機１１２、凝縮器１１３、膨張器１１４といった冷却ユニットの構成部品、並びに庫外ファン１２３や庫外ファン用モータ１２４を配設してある。膨張器１１４から各収納庫４ａ，４ｂ，４ｃに配設した蒸発器１１１に至る冷媒供給管には、駆動する蒸発器１１１を選択するための電磁バルブ１１５が個別に設けてある。
【００２７】
自動販売機の外扉２は、本体キャビネット１の前面開口を覆うに十分な大きさを有したもので、鋼材により堅牢に構成してあり、本体キャビネット１の一側縁部に支承してある。この外扉２には、その前面（外面）側にディスプレイウィンド２０１、選択ボタン２０２、硬貨投入口２０３、紙幣挿入口２０４、表示器２０５、硬貨返却口２０６、商品取出口２０７が設けてある。ディスプレイウィンド２０１は、外扉２の内部に配置した商品見本２０１ａおよび電照板２０１ｂを利用者に視認させるための窓である。一方、外扉２の背面（内面）側には、硬貨処理機２１１、硬貨回収箱２１２、紙幣処理機２１３、ディスプレイドア２１４、メインコントロールボックス１２５が設けてある。ディスプレイドア２１４は、商品見本２０１ａおよび電照板２０１ｂを配置するためのものである。
【００２８】
自動販売機の断熱扉３は、本体キャビネット１に設けた商品収納庫４（４ａ，４ｂ，４ｃ）の前面の開口を覆うに十分な大きさを有したもので、鋼材によって断熱性を備えて構成してある。図示の例では、断熱扉３を上下３Ａ，３Ｂに分割してそれぞれを個別に開閉できるようにしてある。この断熱扉３（３Ａ，３Ｂ）は、商品収納庫４の前面開口を密閉状態に閉塞することによって商品収納庫４内を外部から断熱する。
【００２９】
上側の断熱扉３Ａは、外扉２の内面側に取り付けてあり、当該外扉２とともに開閉する。この断熱扉３Ａは、外扉２の閉塞に伴ってラック６の商品投入口６ａであって商品収納庫４の前面開口の上部領域を閉塞し、外扉２の開放に伴ってラック６の商品投入口６ａであって商品収納庫４の前面開口の上部領域を開放する。そして、断熱扉３Ａによってラック６の商品投入口６ａを開放したときには、商品投入口６ａからの商品Ｗの補充作業を行うことができる。
【００３０】
下側の断熱扉３Ｂは、一側端がヒンジを介して本体キャビネット１側に取り付けられ、他側端が商品収納庫４の前面の開口に対して開閉移動する開閉端をなす片開き式として構成してある。この断熱扉３Ｂは、その閉塞時に商品収納庫４の前面開口の下部領域を閉塞する（閉扉状態）。また断熱扉３Ｂは、その開放時に商品収納庫４の前面開口の下部領域を開放する（開扉状態）。また、断熱扉３Ｂには、シュータ７で搬出された商品Ｗを外扉２の商品取出口２０７側に搬出するための商品搬出口３Ｂａが各収納庫４ａ，４ｂ，４ｃに対応して設けてある。商品搬出口３Ｂａには、商品収納庫４から商品取出口２０７側に商品Ｗを搬出する態様で外扉２側にのみ開放可能に設けた商品搬出扉３Ｂｂが設けてある。上記断熱扉３Ｂによって商品収納庫４の前面開口を開放したときには、例えばラック６のメンテナンスあるいは商品収納庫４内の部品の交換などの作業を行うことができる。このように、断熱扉３Ｂは、断熱扉３Ａとともに商品収納庫４の前面開口を開閉する。なお、本実施例では、断熱扉３を上下の断熱扉３Ａ，３Ｂに分割した構成を一例としているが、上下の断熱扉３Ａ，３Ｂに分割しない一つの断熱扉３を断熱扉３Ｂのように片開き式として構成して商品収納庫４の前面開口を開閉する形態としてあってもよい。
【００３１】
以下、商品取出口２０７に係る構成について説明する。図４は本発明に係る自動販売機の実施例１の商品取出口に係る構成を示す側断面図、図５は図４に示す構成の動作を示す側断面図である。
【００３２】
商品取出口２０７は、自動販売機の内部（機内）である商品収納庫４から搬出された商品Ｗを自動販売機の外部（機外）に取り出すための開口である。図４に示すように、商品取出口２０７の機内側には、商品受部１０が設けてある。商品受部１０は、商品取出口２０７を機内側から臨む態様で外扉２を貫通して設けてあり、機内側から搬出された商品Ｗを受容するための領域をなしている。
【００３３】
商品受部１０は、側板部１１と、底板部１２と、天板部１３とから構成してある。側板部１１は、左右に対向して立設してあり商品受部１０の側部内壁をなす。底板部１２は、各側板部１１の間に設けてあり商品受部１０の下部内壁をなす。底板部１２は、その断面が、下方に向かって湾曲形状をなし、その前縁部分が商品取出口２０７の下縁部に設けた化粧枠２０７ａに固定してある。底板部１２の湾曲形状は、凹所１２ａを形成してある。この凹所１２ａは、搬出された商品Ｗの最大径（最大幅）よりも大きいものである。また、底板部１２の湾曲形状の上面には、緩衝材１４が設けてある。緩衝材１４は、例えば発泡ポリウレタン等の弾性材より形成したものであり、クッション材としての機能を発揮するものである。天板部１３は、各側板部１１の間に設けてあり商品受部１０の上部内壁をなす。このように、商品受部１０は、外扉２を前後方向に貫通する枠体を構成し、前側が商品取出口２０７に通じ、後側が機内側に通じる商品受口１５をなす。
【００３４】
商品受口１５は、断熱扉３の商品搬出口３Ｂａを機外側から臨む。つまり、商品受口１５は、商品搬出扉３Ｂｂを臨む。商品搬出扉３Ｂｂは、外扉２側であって機外側にのみ開放可能に設けてあるため、図４に一点鎖線で示すように商品受口１５を通過して商品受部１０内に至り開放することになる。また、商品受部１０の側板部１１には、開放中の商品搬出扉３Ｂｂが当接するストッパ１６が設けてある。ストッパ１６は、商品搬出扉３Ｂｂの開放を図４に一点鎖線で示す位置で規制する。
【００３５】
商品取出口２０７には、取出口扉１７が設けてある。取出口扉１７は、商品取出口２０７を閉塞する板体をなし、その上端部１７ａが側板部１１の間に架設した軸部１８によって支承してあり、その下端部１７ｂが前後方向に回動する態様で取り付けてある。この取出口扉１７は、商品取出口２０７を閉塞する図４で示す位置から図５に示すように、機内側に回動して商品取出口２０７を開放する態様で設けてある。また、図５に示すように開放状態にある取出口扉１７は、下端部１７ｂが商品搬出扉３Ｂｂの機外側に当接するように構成してある。さらにまた、取出口扉１７は、商品取出口２０７を閉塞する機外側面が機内側に向けて凹形状１７ｃをなしている。さらに、取出口扉１７は、商品取出口２０７を閉塞する機内側面が機内側に向けて凸形状１７ｄをなしている。本実施例では、取出口扉１７をなす板体の断面が、機内側に向けて湾曲形状としてあることにより、上記凹形状１７ｃおよび凸形状１７ｄをなす。なお、商品取出口２０７を閉塞している状態の取出口扉１７は、上記湾曲形状によって下端部に向かって自動販売機の前方に向けてせり出して設けてある。
【００３６】
取出口扉１７を支承する軸部１８には、付勢手段としての捩りコイルバネ１９が巻装してある。捩りコイルバネ１９の一端１９ａは側板部１１に固定してあり、捩りコイルバネ１９の他端１９ｂは取出口扉１７の機内側に当接している。すなわち、取出口扉１７は、常に商品取出口２０７を閉塞する方向に押圧付勢されている。
【００３７】
このように構成した実施例１における自動販売機では、ラック６から切り出された商品Ｗは、シュータ７に転動しつつ商品搬出扉３Ｂｂに当接することで商品搬出扉３Ｂｂを開放状態にして、商品搬出口３Ｂａから商品受部１０に搬出される。その後、利用者が商品取出口２０７から商品受部１０に搬出された商品Ｗを取り出すことになる。この場合、図５に示すように、利用者は、一方の手で取出口扉１７を機内側に押し込むことで取出口扉１７を開放状態にして、そのまま商品受部１０の凹所１２ａにある商品Ｗを手で掴んで当該商品Ｗを取り出す。また、商品Ｗの取り出しに際して商品受部１０から手を引き出すことで、取出口扉１７は、捩りコイルバネ１９によって商品取出口２０７を閉塞する位置に戻ることになる。
【００３８】
商品受部１０から商品Ｗを取り出すとき、図５に示すように開放状態にした取出口扉１７の機外側面の凹形状１７ｃによって手を差し入れた商品受部１０の奥行きが広くなる。これにより、商品Ｗを容易に取り出すことが可能になる。
【００３９】
また、取出口扉１７は、捩りコイルバネ１９によって商品取出口２０７を閉塞する方向に常に押圧付勢されているので、商品Ｗを取り出した後では商品取出口２０７を閉塞する位置にある。これにより、商品取出口２０７から商品受部１０の内部への雨水や塵埃が浸入する事態を防ぐことが可能である。
【００４０】
また、商品受部１０に設けた凹所１２ａは、商品Ｗの最大径（最大幅）よりも大きく形成してあり、図５に示すように、開放する取出口扉１７の下端部１７ｂの回動軌跡１７ｅに対して商品Ｗが干渉することがない。すなわち、凹所１２ａは、開放する取出口扉１７に対して商品Ｗを離隔する態様で設けてある。これにより、商品受部１０に搬出された商品Ｗを取り出すときに、開放する取出口扉１７が商品Ｗにぶつかる事態を防いで、取出口扉１７の開放が円滑に行えるので、商品Ｗを容易に取り出すことが可能になる。
【００４１】
また、取出口扉１７は、その開放時に商品搬出扉３Ｂｂに当接することにより当該商品搬出扉３Ｂｂの開放を阻止する。これにより、商品取出口２０７から商品受部１０の内部に手を差し入れて商品搬出扉３Ｂｂの内部にある商品収納庫４から商品Ｗを引き出そうと悪戯をしても、差し入れた手によって開放状態となる取出口扉１７が商品搬出扉３Ｂｂの開放を阻止するので、この悪戯を防止することが可能である。
【００４２】
したがって、上述した実施例１における自動販売機は、簡素な構成で、かつ、商品Ｗを取り出すときの使用形態を利用者が容易に判断することを可能とした上で、商品Ｗの取り出しを容易に行うことを可能にしている。
【実施例２】
【００４３】
図６は本発明に係る自動販売機の実施例２の商品取出口に係る構成を示す側断面図、図７は図６に示す構成の動作を示す側断面図である。なお、以下の説明する実施例２において、自動販売機に係る構成については上述した実施例１と同一であるため説明を省略する。また、商品取出口に係る構成については上述した実施例１と同一部分には、同一の符号を付して説明を省略する。
【００４４】
図６に示すように、商品受部１０の内部には、フラッパ部材２０が設けてある。フラッパ部材２０は、金属などの硬質な板体からなり、その上端部２０ａが、天板部１３に設けた支持部１３ａに対して支承してあり、その下端部２０ｂが前後方向に回動する態様で、取出口扉１７と商品搬出扉３Ｂｂとの間であって商品受部１０の内部に吊り下げてある。また、フラッパ部材２０の下端部２０ｂの機内側には、緩衝材２１が取り付けてある。緩衝材２１は、例えば発泡ポリウレタン等の弾性材より形成したものであり、クッション材としての機能を発揮するものである。
【００４５】
フラッパ部材２０は、図７に示すように、開放状態にした取出口扉１７の機内側面の凸形状１７ｄに当接するように構成してある。さらに、フラッパ部材２０は、図７に示すように、機内側への回動に際して下端部１７ｂに設けた緩衝材２１が、商品搬出扉３Ｂｂの機外側に当接するように構成してある。
【００４６】
このように構成した実施例２における自動販売機では、ラック６から切り出された商品Ｗは、シュータ７に転動しつつ商品搬出扉３Ｂｂに当接することで商品搬出扉３Ｂｂを開放状態にして、商品搬出口３Ｂａから商品受部１０に搬出される。その後、利用者が商品取出口２０７から商品受部１０に搬出された商品Ｗを取り出すことになる。この場合、図７に示すように、利用者は、一方の手で取出口扉１７を機内側に押し込むことで取出口扉１７を開放状態にして、そのまま商品受部１０の凹所１２ａにある商品Ｗを手で掴んで当該商品Ｗを取り出す。また、商品Ｗの取り出しに際して商品受部１０から手を引き出すことで、取出口扉１７は、捩りコイルバネ１９によって商品取出口２０７を閉塞する位置に戻ることになる。
【００４７】
商品受部１０から商品Ｗを取り出すとき、図７に示すように開放状態にした取出口扉１７の機外側面の凹形状１７ｃによって手を差し入れた商品受部１０の奥行きが広くなる。これにより、商品Ｗを容易に取り出すことが可能になる。
【００４８】
また、取出口扉１７は、捩りコイルバネ１９によって商品取出口２０７を閉塞する方向に常に押圧付勢されているので、商品Ｗを取り出した後では商品取出口２０７を閉塞する位置にある。これにより、商品取出口２０７から商品受部１０の内部への雨水や塵埃が浸入する事態を防ぐことが可能である。
【００４９】
また、商品受部１０に設けた凹所１２ａは、商品Ｗの最大径（最大幅）よりも大きく形成してあり、図７に示すように、開放する取出口扉１７の下端部１７ｂの回動軌跡１７ｅに対して商品Ｗが干渉することがない。すなわち、凹所１２ａは、開放する取出口扉１７に対して商品Ｗを離隔する態様で設けてある。これにより、商品受部１０に搬出された商品Ｗを取り出すときに、開放する取出口扉１７が商品Ｗにぶつかる事態を防いで、取出口扉１７の開放が円滑に行えるので、商品Ｗを容易に取り出すことが可能になる。
【００５０】
また、取出口扉１７は、その開放時にフラッパ部材２０を機内側に押圧する。このフラッパ部材２０が商品搬出扉３Ｂｂに当接することにより当該商品搬出扉３Ｂｂの開放を阻止する。これにより、商品取出口２０７から商品受部１０の内部に手を差し入れて商品搬出扉３Ｂｂの内部にある商品収納庫４から商品Ｗを引き出そうと悪戯をしても、差し入れた手によって開放状態となる取出口扉１７がフラッパ部材２０を介して商品搬出扉３Ｂｂの開放を阻止するので、この悪戯を防止することが可能である。なお、フラッパ部材２０は、取出口扉１７が破損する事態があっても、差し入れた手によって単体で商品搬出扉３Ｂｂの開放を阻止することが可能である。
【００５１】
また、取出口扉１７は、機内側の凸形状１７ｄによってフラッパ部材２０を押圧する。これにより、取出口扉１７の開放時に、より早く機内側にフラッパ部材２０を押圧して商品搬出扉３Ｂｂに当接させることが可能になる。この結果、確実に悪戯を防止することができる。
【００５２】
したがって、上述した実施例２における自動販売機は、簡素な構成で、かつ、商品Ｗを取り出すときの使用形態を利用者が容易に判断することを可能とした上で、商品Ｗの取り出しを容易に行うことを可能にしている。
【産業上の利用可能性】
【００５３】
以上のように、本発明に係る自動販売機は、特に利用者が商品を取り出すための商品取出口に有用であり、特に、商品の取り出しを容易に行うことに適している。
【図面の簡単な説明】
【００５４】
【図１】本発明に係る自動販売機を示す正面図である。
【図２】図１に示した自動販売機の内部を開放した状態の斜視図である。
【図３】図１に示した自動販売機の断面側面図である。
【図４】本発明に係る自動販売機の実施例１の商品取出口に係る構成を示す側断面図である。
【図５】図４に示す構成の動作を示す側断面図である。
【図６】本発明に係る自動販売機の実施例２の商品取出口に係る構成を示す側断面図である。
【図７】図６に示す構成の動作を示す側断面図である。
【符号の説明】
【００５５】
１    本体キャビネット
２    外扉
３（３Ｂ）    断熱扉
３Ｂａ    商品搬出口
３Ｂｂ    商品搬出扉
４    商品収納庫
６    ラック
７    シュータ
１０    商品受部
１１    側板部
１２    底板部
１２ａ    凹所
１３    天板部
１３ａ    支持部
１４    緩衝材
１５    商品受口
１６    ストッパ
１７    取出口扉
１７ａ    上端部
１７ｂ    下端部
１７ｃ    凹形状
１７ｄ    凸形状
１７ｅ    回動軌跡
１８    軸部
１９    コイルバネ
１９ａ    一端
１９ｂ    他端
２０    フラッパ部材
２０ａ    上端部
２０ｂ    下端部
２１    緩衝材
２０７ａ    化粧枠
２０７    商品取出口
Ｗ    商品
【図１】
2005258698.tif 000003
【図２】
2005258698.tif 000004
【図３】
2005258698.tif 000005
【図４】
2005258698.tif 000006
【図５】
2005258698.tif 000007
【図６】
2005258698.tif 000008
【図７】
2005258698.tif 000009